(57)【要約】【課題】部品点数を減らし、止めネジなどによる固定を必要とせずに、緩みを防止できる間仕切りパネルの脚金物を得る。【解決手段】間仕切りパネル１の脚金物５において、パネル３の端面に固定されるパネル側取付板と、このパネル側取付板に基端が固定され軸線が端面に垂直な雄ネジ部と、この雄ネジ部と同等以上の螺合長を有する雌ネジ部を一端に開口させ他端に建物側へ固定される鍔状ベース板を同軸に固定して設けた筒状部材と、を具備した。雄ネジ部は、端面に垂直な軸部を介してパネル側取付板に回動自在に取り付け、この雄ネジ部の外周面の一部分には少なくとも一対の平行面を有することが好ましい。また、工具挟持部に代えて、雄ネジ部の外周面には棒状工具の挿入孔が半径方向内側に穿設されてもよい。【選択図】      図１
2010106499.tif 000002
【特許請求の範囲】
【請求項１】
空間を仕切るパネルの端面に固定されるパネル側取付板と、
該パネル側取付板に基端が固定され軸線が前記端面に垂直な雄ネジ部と、
該雄ネジ部と同等以上の螺合長を有する雌ネジ部を一端に開口させ他端に建物側へ固定される鍔状ベース板を同軸に固定して設けた筒状部材と、
を具備することを特徴とする間仕切りパネルの脚金物。
【請求項２】
請求項１記載の間仕切りパネルの脚金物であって、
前記雄ネジ部が、前記端面に垂直な軸部を介して前記パネル側取付板に回動自在に取り付けられ、
該雄ネジ部の外周面の一部分には少なくとも一対の平行面を有する工具挟持部が形成されることを特徴とする間仕切りパネルの脚金物。
【請求項３】
請求項２記載の間仕切りパネルの脚金物であって、
前記工具挟持部に代えて、前記雄ネジ部の外周面には棒状工具の挿入孔が径方向に穿設されることを特徴とする間仕切りパネルの脚金物。
【請求項４】
請求項１，２，３のいずれか１つに記載の間仕切りパネルの脚金物であって、
前記鍔状ベース板には、中心軸回りに９０度の挟角で円周方向に配置された少なくとも一対の固定用孔が穿設されることを特徴とする間仕切りパネルの脚金物。
【発明の詳細な説明】
【技術分野】
【０００１】
本発明は、居室空間に簡易間仕切りを構成する所謂パーティションやトイレブース等を画成するパネルに用いられる高さ調整可能な脚金物に関する。
【背景技術】
【０００２】
従来より、居室空間や公共空間をパーティションや仕切パネルにより間仕切り、小部屋やブースを簡便に画成する施工法が採られることがある。例えば駅等に設置されるトイレブース用のパネルは、複数枚を連結して複数のブースを画成する。この場合、床面に不陸が生じていると、隣接パネルとの高さに差が生じたり、ドア部材等との組み付けに寸法が合わないなど不都合が生じるため、パネルの個々が高さ調整手段である脚金具（例えば特許文献１参照）を備えている。
【０００３】
この種の脚金物５００は、例えば図９，図１０に示すように、パネル５０１の下端面５０１ａに、パネル側取付板５０３がネジ５０５にて固定され、パネル側取付板５０３はパネル側雄ネジ部５０７を一体固定して垂設している。一方、床５０９には鍔状ベース板５１１を下端に有した建物側雄ネジ部５１３が設置され、鍔状ベース板５１１が複数のネジ５１５にて床５０９に固定される。パネル側雄ネジ部５０７と建物側雄ネジ部５１３は、逆ネジとなり、これらが雌ネジ部１１７の形成された調整用パイプ５１９の両端に螺合される。
【０００４】
したがって、脚金物５００を介し、床５０９上にパネル５０１を載置した後、調整用パイプ５１９を正逆回転すれば、パネル側雄ネジ部５０７と建物側雄ネジ部５１３が接近又は離反動し、パネル５０１の下端面５０１ａと床５０９との距離Ｌが調整できた。調整が完了した脚金物５００は、調整用パイプ５１９に半径方向外側から螺合する止めネジ５２１が締められることで、建物側雄ネジ部５１３と一体固定され、回転が規制されて調整済み寸法に保持できた。
【特許文献１】特開２００１−２０４２２号公報
【発明の開示】
【発明が解決しようとする課題】
【０００５】
しかしながら、従来の脚金物５００は、パネル側雄ネジ部５０７、建物側雄ネジ部５１３、調整用パイプ５１９の３部品を組み立てるため、組立作業が繁雑であり、部品点数削減の要請があった。また、緩み防止のため、床５０９に近接位置で止めネジ５２１を締める必要があり、多数の止めネジ５２１を締めるのには多大な労力を費やし、施工性が悪かった。一方、止めネジ５２１を締め忘れると、ドア開閉時の繰り返しの振動により、調整用パイプ５１９が自転して調整済み距離Ｌに狂いが生じる問題があった。また、低い高さの軽量パネル３の場合には、比較的容易に調整用パイプ５１９の回転が可能であるが、高いパネルや、剛性を高めたパネルでは重量が大きく、手での調整用パイプ５１９の回転が困難となる。この場合、調整用パイプ５１９が円筒であるため、プライヤー等の工具を用いて外周面を把持して回転しなければならず、目立つ部分である調整用パイプ５１９に目立つ傷をつけ、見栄えを低下させることがあった。
【０００６】
本発明は上記状況に鑑みてなされたもので、その第１の目的は、部品点数を減らすことができ、従来の施工方法を変えず、また、止めネジなどによる固定を必要とせずに、緩みを防止できる間仕切りパネルの脚金物を提供することにある。また、第２の目的は、施工性が向上し、プライヤー等の歯で脚金物を傷つけることのない間仕切りパネルの脚金物を提供することにある。
【課題を解決するための手段】
【０００７】
次に、上記の課題を解決するための手段を、実施の形態に対応する図面を参照して説明する。
本発明の請求項１記載の間仕切りパネルの脚金物は、空間を仕切るパネル３の端面３ａに固定されるパネル側取付板７と、
該パネル側取付板７に基端１１ａが固定され軸線１３が前記端面３ａに垂直な雄ネジ部１１と、
該雄ネジ部１１と同等以上の螺合長を有する雌ネジ部１９を一端２３ａに開口させ他端２３ｂに建物２５側へ固定される鍔状ベース板２１を同軸に固定して設けた筒状部材２３と、
を具備することを特徴とする。
【０００８】
この間仕切りパネルの脚金物では、分離可能な構成部品が、雄ネジ部１１と筒状部材２３の２部品となり、雄ネジ部１１のパネル側取付板７がパネル３に固定され、雄ネジ部１１に螺合した筒状部材２３が回転されることで、パネル３の端面３ａと鍔状ベース板２１との距離が可変調整される。調整完了の後、鍔状ベース板２１が建物２５側に固定されることで、雄ネジ部１１と雌ネジ部１９が回転しなくなり、すなわち緩まなくなる。
【０００９】
請求項２記載の間仕切りパネルの脚金物は、請求項１記載の間仕切りパネルの脚金物であって、
前記雄ネジ部３７が、前記端面３ａに垂直な軸部３９を介して前記パネル側取付板７に回動自在に取り付けられ、
該雄ネジ部３７の外周面の一部分には少なくとも一対の平行面４７ａ，４７ａを有する工具挟持部４７が形成されることを特徴とする。
【００１０】
この間仕切りパネルの脚金物では、パネル３に固定されたパネル側取付板７に対し、雄ネジ部３７が回動自在となり、筒状部材２３の雌ネジ部１９に螺合した雄ネジ部３７が、工具挟持部４７をレンチ等で掴んで回動されることで筒状部材２３から進退し、パネル３の端面３ａと鍔状ベース板２１との距離が容易に可変調整可能となる。したがって、この構成によれば、鍔状ベース板２１を固定した後に、パネル３の端面３ａと鍔状ベース板２１との距離が調整可能となる。
【００１１】
請求項３記載の間仕切りパネルの脚金物は、請求項２記載の間仕切りパネルの脚金物であって、
前記工具挟持部４７に代えて、前記雄ネジ部１１の外周面には棒状工具の挿入孔５１が径方向に穿設されることを特徴とする。
【００１２】
この間仕切りパネルの脚金物では、パネル３に固定されたパネル側取付板７に対し、雄ネジ部３７が回動自在となり、筒状部材２３の雌ネジ部１９に螺合した雄ネジ部３７が、挿入孔５１に差し入れた棒状工具等を介して回動されることで筒状部材２３から進退し、パネル３の端面３ａと鍔状ベース板２１との距離が容易に可変調整可能となる。したがって、この構成によれば、鍔状ベース板２１が固定された状態であっても、パネル３の端面３ａと鍔状ベース板２１との距離が調整可能となる。
【００１３】
請求項４記載の間仕切りパネルの脚金物は、請求項１，２，３のいずれか１つに記載の間仕切りパネルの脚金物であって、
前記鍔状ベース板２１には、中心軸回りに９０度の挟角で円周方向に配置された少なくとも一対の固定用孔２７が穿設されることを特徴とする。
【００１４】
この間仕切りパネルの脚金物では、鍔状ベース板２１の回転位置によって仮に一方の固定用孔２７がパネル３に重なった場合であっても、他方の固定用孔２７がパネル３から外れてネジ固定可能となる。すなわち、一対の固定用孔２７が１８０度の挟角で円周方向に配置される場合では、鍔状ベース板２１の回転位置によって２つの固定用孔２７，２７が同時にパネル３に重なり、固定不能となる可能性があるが、この鍔状ベース板２１では、パネル３の位置に関係なく固定用の工具を用いて固定作業を行える。
【発明の効果】
【００１５】
本発明に係る請求項１記載の間仕切りパネルの脚金物によれば、パネルに固定されるパネル側取付板と、このパネル側取付板に固定される雄ネジ部と、雄ネジ部と螺合する雌ネジ部を開口させ鍔状ベース板を備える筒状部材と、にて構成したので、分離可能な部品が、パネル側取付板を備えた雄ネジ部と、鍔状ベース板を備えた筒状部材の２部品となり、従来構造に比べ部品点数を減らすことができる。螺合部を挟み、双方の部材をパネル側、建物側に固定するので、従来の施工方法を変えることなく、また、止めネジなどで固定することなく、容易な施工で緩みを防止できる。
【００１６】
請求項２記載の間仕切りパネルの脚金物によれば、雄ネジ部をパネル側取付板に回動自在に取り付け、この雄ネジ部の外周面に少なくとも一対の平行面を有する工具挟持部を形成したので、レンチ等を用い、平行面を挟持して簡単に回すことができ、施工性が向上する。また、プライヤー等の歯で脚金物を傷つけることがない。
【００１７】
請求項３記載の間仕切りパネルの脚金物によれば、工具挟持部に代えて、雄ネジ部の外周面に棒状工具の挿入孔を穿設したので、棒状工具等を用い、挿入孔に差し入れて簡単に回すことができ、施工性が向上する。また、プライヤー等の歯で脚金物を傷つけることがない。
【００１８】
請求項４記載の間仕切りパネルの脚金物によれば、鍔状ベース板に、９０度の挟角で円周方向に配置された少なくとも一対の固定用孔を穿設したので、筒状部材の調整回転位置にかかわらず、必ず一つの固定用孔がパネルから外れることとなり、工具を用いることが可能となってネジ固定を可能にすることができる。
【発明を実施するための最良の形態】
【００１９】
以下、本発明に係る間仕切りパネルの脚金物の好適な実施の形態を図面を参照して詳細に説明する。
図１は本発明に係る脚金物が取り付けられたトイレブースの斜視図、図２は図１に示した脚金物の一部分を切り欠いた側面図である。
例えばトイレブース１は、モジュール化された複数間口寸法のパネル３（３Ａ，３Ｂ，３Ｃ等）を順次連結して行くことにより、空間を間仕切りして画成される。
【００２０】
それぞれのパネル３の下端面３ａには間仕切りパネルの脚金物（以下、単に「脚金物」とも称す）５が取り付けられ、脚金物５はパネル側取付板７を備える。パネル側取付板７はパネル３の下端面３ａに複数、本実施の形態では４つのネジ９にて固定される。パネル側取付板７には、基端１１ａが固定され軸線１３が下端面３ａに垂直な雄ネジ部１１が一体的に設けられている。基端１１ａは、パネル側取付板７の中央部に形成した間隙形成部７ａに頭部を配置した加締めピン１７にてパネル側取付板７と固定される。
【００２１】
雄ネジ部１１は、この雄ネジ部１１と同等以上の螺合長を有する雌ネジ部１９を一端２３ａに開口させ、他端２３ｂに建物側である床２５へ固定される鍔状ベース板２１を同軸に固定して設けた筒状部材２３と螺合される。筒状部材２３と一体な鍔状ベース板２１には軸線１３を中心に円周方向に複数の固定用孔２７が穿設され、鍔状ベース板２１は固定用孔２７を挿通する固定ネジ２９にて床２５に固定される。
【００２２】
脚金物５を用いてパネル３を設置するには、先ず、パネル３の下端面３ａにパネル側取付板７をネジ９にて固定する。次いで、パネル側取付板７と一体となった雄ネジ部１１に、筒状部材２３の雌ネジ部１９を仮螺合する。隣接するパネル３Ａ，３Ｂを連結する。この際、左右のパネル３Ａ，３Ｂに高さの違いが生じていれば、筒状部材２３を手で把持し、正逆回転することにより下端面３ａと鍔状ベース板２１との距離を調整し、その後鍔状ベース板２１を床２５へ固定する。これにより、床２５の不陸に伴う高さのバラツキが、個々の脚部材５の長短調整にて吸収され、複数パネル３Ａ，３Ｂの下端面を水平な同一面上に調整可能となる。
【００２３】
この脚金物５では、分離可能な構成部品が、雄ネジ部１１と筒状部材２３の２部品となり、雄ネジ部１１のパネル側取付板７がパネル３に固定され、雄ネジ部１１に螺合した筒状部材２３が回転されることで、パネル３の下端面３ａと鍔状ベース板２１との距離が可変調整される。調整完了の後、鍔状ベース板２１が床２５に固定されることで、雄ネジ部１１と雌ネジ部１９が回転しなくなり、すなわち緩まなくなる。
【００２４】
したがって、脚金物５によれば、従来構造に比べ部品点数を減らすことができる。螺合部を挟み、双方の部材（雄ネジ部１１と筒状部材２３）をパネル３側、建物（床２５）側にそれぞれ固定するので、従来の施工方法を大きく変えることなく、また、止めネジなどで固定することなく、容易な施工で緩みを防止できる。
【００２５】
次に、本発明に係る脚金物の他の実施の形態を説明する。
図３は他の実施の形態による脚金物の分解斜視図、図４は図３に示した脚金物の一部分を切り欠いた側面図である。なお、図１，図２に示した部材と同等の部材には同一の符号を付し、重複する説明は省略するものとする。
この実施の形態による脚金物３５は、雄ネジ部３７が、下端面３ａに垂直な軸部３９を介してパネル側取付板７に回動自在に取り付けられている。軸部３９は、間隙形成部７ａに穿設された支持穴４１に貫通され、貫通先端の周溝４３に、抜け止め手段（Ｅリング４５等）が装着されることで、パネル側取付板７に回動自在となって抜け止めされる。
【００２６】
雄ネジ部３７の外周面の一部分には少なくとも一対の平行面４７ａ，４７ａを有する工具挟持部４７が形成される。本実施の形態では、この工具挟持部４７が、雄ネジ部３７の上端側（パネル側取付板７に近接側）において、六角形状で形成されている。なお、図３中、４９はネジ９用の固定穴を示す。
【００２７】
雄ネジ部３７は、具体的に１０ｍｍ程度の螺合長を有し、この螺合範囲（実際にはネジ螺合代を差し引いた範囲）がアジャスト範囲の上限値となる。また、図４（ｂ）に示すように、標準の長さＬを有する筒状部材２３（図４（ａ））に対し、長さＬＬ等（ＬＬ≠Ｌ）の異なる複数種の筒状部材２３Ａを用意しておくことで、より広いアジャスト範囲に簡便に対応可能とすることができる。
【００２８】
この脚金物３５では、パネル３に固定されたパネル側取付板７に対し、雄ネジ部３７が回動自在となり、筒状部材２３の雌ネジ部１９に螺合した雄ネジ部３７が、工具挟持部４７をレンチ等で掴んで回動されることで筒状部材２３から進退し、パネル３の下端面３ａと鍔状ベース板２１との距離が容易に可変調整可能となる。この構成によれば、パネル側取付板７がパネル３の下端面３ａに固定され、鍔状ベース板２１が床２５に固定された状態であっても、パネル３の下端面３ａと鍔状ベース板２１との距離が調整可能となる。
【００２９】
本実施の形態による脚金物３５によれば、雄ネジ部３７をパネル側取付板７に回動自在に取り付け、この雄ネジ部３７に少なくとも一対の平行面４７ａ，４７ａを有する工具挟持部４７を形成したので、レンチ等を用い、平行面４７ａ，４７ａを挟持して簡単に回すことができ、施工性が向上する。また、プライヤー等の歯で脚金物３５を傷つけることがない。
【００３０】
図５は図３に示した脚金物の変形例の側面図である。
上記した脚金物３５は、工具挟持部４７に代えて、雄ネジ部３７の外周面に、棒状工具の挿入孔５１を径の中心方向、すなわち半径方向内側に穿設した脚金物３５Ａとしてもよい。
この変形例による脚金物３５Ａでは、挿入孔５１に差し入れた不図示の棒状工具等を介して回動されることで筒状部材２３から雄ネジ部３７が進退し、パネル３の下端面３ａと鍔状ベース板２１との距離が容易に可変調整可能となる。この構成によれば、鍔状ベース板２１が固定された状態であっても、パネル３と鍔状ベース板２１との距離が調整可能となる。
【００３１】
この脚金物３５Ａによれば、棒状工具等を挿入孔５１に差し入れ、雄ネジ部３７を簡単に回すことができ、施工性が向上する。また、プライヤー等の歯で脚金物３５Ａの目立つ部分に目立つ傷をつけることを防ぐことができる。
【００３２】
図６は鍔状ベース板の固定用孔とパネルとの位置関係を示した平面図である。
なお、上記した各実施の形態（特に最初の実施の形態による脚金物５）における鍔状ベース板２１には、中心軸回りに９０度の挟角で円周方向に配置された少なくとも一対の固定用孔２７，２７が穿設されることが好ましい。図例では、二対となる合計４つの固定用孔２７が９０度ごとに配置されている。
【００３３】
固定用孔２７をこのように配置することで、図６（ａ）に示すように、鍔状ベース板２１の回転位置によって仮に一対の固定用孔２７，２７がパネル３に重なった場合であっても、他方の固定用孔２７，２７がパネル３から外れることとなり工具を使用できネジ固定可能となる。また、図６（ｂ）に示すように、隣接する固定用孔２７，２７の間にパネル３を配置すれば、全ての固定用孔２７が使用可能となる。なお、一対の固定用孔２７，２７が１８０度の挟角で円周方向に配置される場合では、鍔状ベース板２１の回転位置によって２つの固定用孔２７，２７が同時にパネル３に重なり、固定不能となる可能性がある。
【００３４】
このように、鍔状ベース板２１に、９０度の挟角で円周方向に配置された少なくとも一対の固定用孔２７，２７を穿設すれば、筒状部材２３の調整回転位置にかかわらず、必ず一つの固定用孔２７がパネル３から外れ、ネジ固定を可能にすることができる。
【００３５】
ところで、主に外開きドアに使用する従来のトイレブース用のドアストッパーは、ドアパネルの上部小口や側面に２〜３本のネジで固定されている。この場合、ドアパネルの種類によってネジの固定力が異なるため、ドア全開時の衝撃等の力でネジが抜けたり、ドアパネルが割れたりしてドアストッパーが落下することがあった。また、取付ネジも２〜３本と複数必要であり施工性が悪かった。一方、内開きドアの時、ドアパネルの上部に帽子掛け兼用のドアストッパーを取り付けている。ドア全開時に、トイレブースのパネル３の位置によっては、ドアの開き角度がバラバラとなる問題があった。
【００３６】
このような不具合から、ドアパネルの材質によって異なるネジの固定力に左右されず、また、開きドアの時にパネル３の位置に左右されずに開き角度が９０度となり、しかも、施工が良好なドアストッパーの要請があった。
【００３７】
図７は外開きドアに取り付けたトイレブース用ドアストッパーの斜視図である。
本実施の形態に用いられるトイレブース用ドアストッパー６１は、リブ６３ａにて補強された略短冊状の水平板部６３を有する。水平板部６３の一端には外開きのドアパネル６５の上端を挟持する挟持片６７ａ，６７ｂ，６７ｃが下方に向けて垂設され、挟持片６７ｃは固定ネジ６９にてドアパネル６５の上端面６５ａに固定される。水平板部６３の他端にはストッパ片７１が折り曲げられて起立し、ストッパ片７１はトイレブースの出入口上部に渡される桟材７３に、内側から当接可能となる。ストッパ片７１には桟材７３との衝撃を吸収する衝撃吸収ゴム７５等が設けられる。
【００３８】
したがって、ドアパネル６５が開かれれば、ドアパネル６５と共にトイレブース用ドアストッパー６１が移動し、衝撃吸収ゴム７５が桟材７３に当接した状態で、ドアパネル６５の開放角度が９０度で開扉規制されるようになっている。
【００３９】
図８は内開きドアに取り付けたトイレブース用ドアストッパーの斜視図である。
一方、このトイレブース用ドアストッパー６１は、内開きのドアパネル６５Ａにも使用することができる。内開きのドアパネル６５Ａでは、桟材７３の下面側から挟持片６７ａ，６７ｂ，６７ｃが挿入挟持され、各挟持片６７ａ，６７ｂ，６７ｃが固定ネジ７５にて桟材７３に固定される。
【００４０】
したがって、ドアパネル６５Ａが開かれれば、桟材７３に固定されたトイレブース用ドアストッパー６１のストッパ片７１に、ドアパネル６５Ａの内側上端面が当接した状態で、ドアパネル６５Ａの開放角度が９０度で開扉規制されるようになっている。
【００４１】
このトイレブース用ドアストッパー６１によれば、挟持片６７ａ，６７ｂ，６７ｃでドアパネル６５を挟み込む構造とすることで、ドアパネル６５のネジ固定力に左右されることなく、全開時にかかる荷重を挟持片６７ａ，６７ｂ，６７ｃとストッパ片７１の面で受けることにより、耐衝撃性を向上させることができる。また、外開きドア６５ではネジ止めを一箇所とすることで、施工性を向上させることができる。さらに、トイレブース用ドアストッパー６１は、桟材７３に取り付けることで、内開きドア６５Ａの時でも開き角度を９０度にすることができる。この結果、取付強度のアップ、施工性の向上、内開きドア全開時の見栄えを向上させることができる。
【００４２】
なお、上記した各実施の形態では、脚金物５がパネル３の下端面３ａと床２５との間に配設される構成を例に説明したが、本発明に係る脚金物は、この他、パネル３の上端面と天井の間に配設され、パネル上端と天井間距離のバラツキを吸収しながら、パネル上端を天井面に固定する支持固定部材としても利用でき、このような用途においても上述同様の効果を奏するものである。
【図面の簡単な説明】
【００４３】
【図１】本発明に係る脚金物が取り付けられた間仕切りパネルの斜視図である。
【図２】図１に示した脚金物の一部分を切り欠いた側面図である。
【図３】他の実施の形態による脚金物の分解斜視図である。
【図４】図３に示した脚金物の一部分を切り欠いた側面図である。
【図５】図３に示した脚金物の変形例の側面図である。
【図６】鍔状ベース板の固定用孔とパネルとの位置関係を示した平面図である。
【図７】外開きドアに取り付けたトイレブース用ドアストッパーの斜視図である。
【図８】内開きドアに取り付けたトイレブース用ドアストッパーの斜視図である。
【図９】従来の脚金物の一部分を切り欠いた正面図である。
【図１０】図９に示した脚金物の側面図である。
【符号の説明】
【００４４】
３…パネル
３ａ…端面（下端面）
５，３５…間仕切りパネルの脚金物
７…パネル側取付板
１１，３７…雄ネジ部
１１ａ…基端
１３…軸線
１９…雌ネジ部
２１…鍔状ベース板
２３…筒状部材
２３ａ…一端
２３ｂ…他端
２５…建物（床）
２７…固定用孔
３９…軸部
４７…工具挟持部
４７ａ，４７ａ…一対の平行面
５１…挿入孔
【図１】
2010106499.tif 000003
【図２】
2010106499.tif 000004
【図３】
2010106499.tif 000005
【図４】
2010106499.tif 000006
【図５】
2010106499.tif 000007
【図６】
2010106499.tif 000008
【図７】
2010106499.tif 000009
【図８】
2010106499.tif 000010
【図９】
2010106499.tif 000011
【図１０】
2010106499.tif 000012